(57)【特許請求の範囲】
【請求項１】
ワイヤレスノードによるワイヤレス通信のための方法であって、
第１のセルの基地局から、ワイヤレスデバイスのためのランダムアクセスチャネル（ＲＡＣＨ）構成に関する情報を受信することと、
前記ＲＡＣＨ構成に基づいて、前記ワイヤレスデバイスからのＲＡＣＨ送信を検出することと、
前記検出されたＲＡＣＨ送信を前記第１のセルの前記基地局に報告することと、
前記第１のセルの前記基地局から、前記ワイヤレスノードが前記第１のセルの前記基地局に報告した前記ＲＡＣＨ送信に基づく前記ワイヤレスデバイスとのアップリンク通信とダウンリンク通信とのうちの少なくとも１つを実行する際に使用するための１つまたは複数のパラメータを示すシグナリングを受信することと
を備える、方法。
【請求項２】
前記ワイヤレスデバイスの前記ＲＡＣＨ構成に関する前記情報が、オーバージエア（ＯＴＡ）インターフェース、Ｘ２インターフェース、またはファイバーインターフェースのうちの少なくとも１つを介して受信される、請求項１に記載の方法。
【請求項３】
前記第１のセルの前記基地局から、前記ワイヤレスデバイスからアップリンク送信を受信するためのアップリンク構成パラメータを受信することをさらに備える、請求項１に記載の方法。
【請求項４】
前記第１のセルの前記基地局から、前記ワイヤレスデバイスのためのアップリンク通信とダウンリンク通信とのうちの少なくとも１つをサービスするために前記ワイヤレスノードが選択されたことを示すシグナリングを受信することをさらに備える、請求項１に記載の方法。
【請求項５】
前記シグナリングは、前記ワイヤレスデバイスとのアップリンク通信とダウンリンク通信の両方のために前記ワイヤレスノードが選択されたことを示す、請求項４に記載の方法。
【請求項６】
前記シグナリングは、前記ワイヤレスデバイスのアップリンク通信をサービスするために少なくとも１つの追加のワイヤレスノードも選択されたことを示す、請求項４に記載の方法。
【請求項７】
基地局によるワイヤレス通信のための方法であって、
ワイヤレスデバイスに、ランダムアクセスチャネル（ＲＡＣＨ）構成を送信することと、
ワイヤレスノードに、前記ワイヤレスデバイスのための前記ＲＡＣＨ構成に関する情報を送信することと、
前記ワイヤレスノードから、前記ＲＡＣＨ構成に関する前記情報に基づいて前記ワイヤレスノードによって検出されたＲＡＣＨ送信を示すシグナリングを受信することと、
前記ワイヤレスノードに、前記ＲＡＣＨ送信を示す前記受信されたシグナリングに基づいて前記ワイヤレスデバイスとのアップリンク通信とダウンリンク通信とのうちの少なくとも１つを実行する際に使用するための１つまたは複数のパラメータを示すシグナリングを送信することと
を備える、方法。
【請求項８】
前記ワイヤレスノードに、前記ワイヤレスデバイスからアップリンク送信のためのアップリンク構成パラメータを送信することをさらに備える、請求項７に記載の方法。
【請求項９】
前記ワイヤレスノードに、前記ワイヤレスデバイスのアップリンク通信とダウンリンク通信とのうちの少なくとも１つをサービスするために前記ワイヤレスノードが選択されたことを示すシグナリングを送信することをさらに備える、請求項７に記載の方法。
【請求項１０】
前記シグナリングは、前記ワイヤレスデバイスのアップリンク通信とダウンリンク通信の両方をサービスするために前記ワイヤレスノードが選択されたことを示す、請求項９に記載の方法。
【請求項１１】
前記シグナリングは、前記ワイヤレスデバイスの少なくとも１つのアップリンク通信およびダウンリンク通信をサービスするために少なくとも１つの追加のワイヤレスノードも選択されたことを示す、請求項９に記載の方法。
【請求項１２】
前記ワイヤレスデバイスに、前記ワイヤレスノードとのアップリンク通信とダウンリンク通信とのうちの少なくとも１つにおいて使用するためのパラメータを送信することをさらに備え、ここにおいて、前記パラメータが、タイミング調整パラメータ、電力調整パラメータ、仮想セル識別情報、リソースのセット、または変調およびコーディング方式のうちの少なくとも１つを含む、請求項７に記載の方法。
【請求項１３】
ワイヤレスノードの装置であって、
第１のセルの基地局から、ワイヤレスデバイスのためのランダムアクセスチャネル（ＲＡＣＨ）構成に関する情報を受信するための手段と、
前記ＲＡＣＨ構成に基づいて、前記ワイヤレスデバイスからのＲＡＣＨ送信を検出するための手段と、
前記検出されたＲＡＣＨ送信を前記第１のセルの前記基地局に報告するための手段と、
前記第１のセルの前記基地局から、前記ワイヤレスノードが前記第１のセルの前記基地局に報告した前記ＲＡＣＨ送信に基づく前記ワイヤレスデバイスとのアップリンク通信とダウンリンク通信とのうちの少なくとも１つを実行する際に使用するための１つまたは複数のパラメータを示すシグナリングを受信するための手段と
を備える、装置。
【請求項１４】
基地局の装置であって、
ワイヤレスデバイスに、ランダムアクセスチャネル（ＲＡＣＨ）構成を送信することと、
ワイヤレスノードに、前記ワイヤレスデバイスのための前記ＲＡＣＨ構成に関する情報を送信することと、
前記ワイヤレスノードから、前記ＲＡＣＨ構成に関する前記情報に基づいて前記ワイヤレスノードによって検出されたＲＡＣＨ送信を示すシグナリングを受信することと、
前記ワイヤレスノードに、前記ＲＡＣＨ送信を示す前記受信されたシグナリングに基づいて前記ワイヤレスデバイスとのアップリンク通信とダウンリンク通信とのうちの少なくとも１つを実行する際に使用するための１つまたは複数のパラメータを示すシグナリングを送信することと
を備える、装置。
【請求項１５】
請求項１乃至６または請求項７乃至１２のうちの１つの方法の全てのステップを実装するためにコンピュータ実行可能なプログラム命令を備える、コンピュータプログラム。
【発明の詳細な説明】
【技術分野】
【０００１】
関連出願の相互参照
[0001]本特許出願は、本出願の譲受人に譲渡され、本明細書によってその全体が参照により明確に組み込まれる、２０１２年１１月２日に出願された米国仮出願第６１／７２２，０６８号の優先権を主張する。
【０００２】
[0002]本開示のいくつかの態様は、一般にワイヤレス通信に関し、より詳細には、デバイスがダウンリンク通信とアップリンク通信とのために異なるエンティティによってサービスされ得るように、ダウンリンク動作とアップリンク動作とを分離するための技法に関する。
【背景技術】
【０００３】
[0003]ワイヤレス通信ネットワークは、音声、ビデオ、パケットデータ、メッセージング、およびブロードキャストサービスなどの様々な通信サービスを提供するために広く展開されている。これらのワイヤレス通信ネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかのｅノードＢを含み得る。ＵＥは、ダウンリンクおよびアップリンクを介してｅノードＢと通信し得る。ダウンリンク（または順方向リンク）はｅノードＢからＵＥへの通信リンクを指し、アップリンク（または逆方向リンク）はＵＥからｅノードＢへの通信リンクを指す。
【０００５】
[0005]いくつかのワイヤレス通信システムでは、より高電力の「マクロ」ｅノードＢに加えて、いくつかの比較的小さい、より低電力のノード（たとえば、「ピコ」ｅノードＢまたはリレー）が、たとえばマシンタイプ通信（ＭＴＣ：machine type communication）デバイスをサポートするために、容量拡張のために展開され得る。そのようなデバイスは、一般に低コスト、低電力であり、しばしば、地階などの到達しにくいロケーションに展開される。マクロｅノードＢはダウンリンク上で多くのＭＴＣデバイスに到達するのに十分なカバレージを有し得るが、所与のデバイスのためのアップリンク通信は、（たとえば、より低いアップリンク送信電力を必要とする）そのデバイスに極めて近接したより低電力のノードを介してより効率的に行われ得る。
【０００６】
[0006]ＭＴＣデバイスが、異なるタイプの基地局をもつシステムを越えて動作することを可能にすることは、サービスカバレージを向上させるのを助け得るが、アップリンク通信とダウンリンク通信とのために異なるタイプの基地局が同じデバイスをサービスすることを可能にすることは、たとえば、デバイスに近接している低電力ノードを識別し、選択するための必要に起因する、課題をもたらす。
【発明の概要】
【０００７】
[0007]本開示のいくつかの態様は、ワイヤレスノードによるワイヤレス通信のための方法を提供する。本方法は、概して、第１のセルの基地局から、ワイヤレスデバイスのためのランダムアクセスチャネル（ＲＡＣＨ：random access channel）構成に関する情報を受信することと、ＲＡＣＨ構成に基づいて、ワイヤレスデバイスからのＲＡＣＨ送信を検出することと、検出されたＲＡＣＨ送信を第１のセルの基地局に報告することとを含む。
【０００８】
[0008]本開示のいくつかの態様は、基地局によるワイヤレス通信のための方法を提供する。本方法は、概して、ワイヤレスデバイスに、ランダムアクセスチャネル（ＲＡＣＨ）構成を送信することと、ワイヤレスノードに、ワイヤレスデバイスのためのＲＡＣＨ構成に関する情報を送信することと、ワイヤレスノードから、ＲＡＣＨ構成に基づいてワイヤレスノードによって検出されたＲＡＣＨ送信を示すシグナリングを受信することとを含む。
【０００９】
[0009]本開示のいくつかの態様は、ワイヤレスデバイスによるワイヤレス通信のための方法を提供する。本方法は、概して、第１のセルの基地局から、ランダムアクセスチャネル（ＲＡＣＨ）構成を受信することと、ＲＡＣＨ構成に基づいてＲＡＣＨ送信を送ることと、第１のセルの基地局から、ＲＡＣＨプロシージャを検出したワイヤレスノードとのアップリンク通信とダウンリンク通信とのうちの少なくとも１つにおいて使用するためのパラメータの構成を示すシグナリングを受信することとを含む。
【００１０】
[0010]本開示の様々な態様および特徴について以下でさらに詳細に説明する。
【００１１】
[0011]本開示の上述の特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１２】
【図１】[0012]本開示の一態様による、ワイヤレス通信システムの一例を概念的に示すブロック図。
【図２】[0013]本開示の一態様による、ダウンリンクフレーム構造の一例を概念的に示すブロック図。
【図３】[0014]本開示の一態様による、例示的なｅノードＢと例示的なＵＥとを概念的に示すブロック図。
【図４】[0015]本開示の一態様による、異種ワイヤレス通信システムの一例を概念的に示すブロック図。
【図５】[0016]本開示のいくつかの態様による、図４のエンティティ間の送信の交換のための例示的なコールフロー図。
【図６Ａ】[0017]本開示のいくつかの態様による、図５に示されたフロー図の異なるステップがどのように図４のエンティティによって実行されるかを示す図。
【図６Ｂ】本開示のいくつかの態様による、図５に示されたフロー図の異なるステップがどのように図４のエンティティによって実行されるかを示す図。
【図６Ｃ】本開示のいくつかの態様による、図５に示されたフロー図の異なるステップがどのように図４のエンティティによって実行されるかを示す図。
【図７】[0018]本開示のいくつかの態様による、マクロ基地局と低電力ノードとのための異なるＲＡＣＨオケージョンを示す図。
【図８】[0019]本開示の一態様による、アップリンク通信とダウンリンク通信とを分離するための（たとえば、低電力ノードによって実行され得る）例示的な方法を示す図。
【図９】[0020]本開示の一態様による、アップリンク通信とダウンリンク通信とを分離するための（たとえば、マクロｅノードＢによって実行され得る）例示的な方法を示す図。
【図１０】[0021]本開示の一態様による、アップリンク通信とダウンリンク通信とを分離するための（たとえば、ＵＥなどのワイヤレスデバイスによって実行され得る）例示的な方法を示す図。
【図１１】[0022]本開示のいくつかの態様による、ランダムアクセスチャネル（ＲＡＣＨ）プロシージャのための例示的なコールフロー図。
【発明を実施するための形態】
【００１３】
[0023]上述したように、場合によっては、たとえば、高い遅延トレランスを有し得る低電力および低コストデバイスまたは他のデバイスであり得るマシンタイプ通信（ＭＴＣ）デバイスのための、カバレージ拡張を行うために、マクロセルカバレージエリア内の低電力ノード（ＬＰＮ：low power node）の比較的高密度の展開が使用され得る。そのような低電力ノード（ＬＰＮ）の例としては、ピコ基地局、リレー、またはリモートラジオヘッド（ＲＲＨ：remote radio head）があり得る。そのようなセル高密度化は、最も近いＬＰＮセルへの経路損失を低減し得、アップリンク送信電力を低減することによってエネルギー消費量を低減しながら潜在的にカバレージを向上させ得る。
【００１４】
[0024]本開示の態様は、ダウンリンク通信とアップリンク通信とを分離して、アップリンク通信とダウンリンク通信とのために最適なデバイスが独立して選択されることを可能にすることによって、これらの結果を達成するのを助け得る。たとえば、本明細書で提示する技法は、（たとえば、ＵＥに最も近い低電力ノードを介した）最小経路損失を伴うセルによるアップリンク（ＵＬ）カバレージを可能にしながら、高電力ノード（たとえば、マクロセルｅノードＢ）によるデバイスのためのダウンリンク（ＤＬ）カバレージを可能にし得る。分離されたＤＬ動作とＵＬ動作とを達成するために、デバイスがＤＬ動作とＵＬ動作とのために異なる関連付けを有することを可能にする技法を本明細書で提示する。
【００１５】
[0025]いくつかのファクタは、本明細書で提示するように、ＭＴＣデバイスのためのＤＬ通信とＵＬ通信との分離を可能にするのを助け得る。たとえば、ＭＴＣデバイスは、スペクトル効率に関してパケットサイズが比較的小さく要件が低い（たとえば、多くのそのようなデバイスは、比較的小量のデータを比較的まれに送信する必要のみがあり得る）とともに、比較的遅延トレラントであり得る。そのような遅延トレランスは、マクロｅノードＢと低電力ノード（ＬＰＮ）との間の情報交換のために、ならびにＲＡＣＨメッセージ間の遅延された応答のために（たとえば、数秒程度の）十分な時間を可能にし得る。高い遅延トレランスは、チャネル状態フィードバック（たとえば、ＣＱＩ）なしに通信およびデータ送信のために（たとえば、数ミリ秒程度の）フレキシブルなＨＡＲＱターンアラウンド要件を可能にし得る。
【００１６】
[0026]添付の図面を参照しながら本開示の様々な態様について以下でより十分に説明する。ただし、本開示は、多くの異なる形態で実施され得、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置は実装され得、または方法は実施され得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示のいずれの態様も、請求項の１つまたは複数の要素によって実施され得ることを理解されたい。
【００１７】
[0027]「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。
【００１８】
[0028]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１９】
[0029]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ＣＤＭＡ２０００などの無線技術を実装し得る。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ：Long Term Evolution）は、Ｅ−ＵＴＲＡを使用するＵＭＴＳの今度のリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と称する団体からの文書に記載されている。ＣＤＭＡ２０００は、「第３世代パートナーシッププロジェクト２」（３ＧＰＰ２）と称する団体からの文書に記載されている。
【００２０】
[0030]シングルキャリア周波数分割多元接続（ＳＣ−ＦＤＭＡ）は、送信機側でシングルキャリア変調を利用し、受信機側で周波数領域等化を利用する伝送技法である。ＳＣ−ＦＤＭＡは、ＯＦＤＭＡシステムと同様の性能および本質的に同じ全体的な複雑さを有する。ただし、ＳＣ−ＦＤＭＡ信号は、それの固有のシングルキャリア構造のためにより低いピーク対平均電力比（ＰＡＰＲ：peak-to-average power ratio）を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰ  ＬＴＥおよび発展型ＵＴＲＡにおけるアップリンク多元接続方式に関する実用的な前提である。
【００２１】
[0031]基地局（「ＢＳ」）は、ノードＢ、無線ネットワークコントローラ（「ＲＮＣ」）、発展型ノードＢ（ｅノードＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２２】
[0032]ユーザ機器（ＵＥ）は、アクセス端末、加入者局、加入者ユニット、リモート局、リモート端末、移動局、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、移動局は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２３】
例示的なワイヤレス通信システム
[0033]図１は、本開示の一態様による、電気通信ネットワークシステム１００の一例を概念的に示すブロック図である。たとえば、電気通信ネットワークシステム１００は、たとえば、ＬＴＥネットワークであり得、いくつかの発展型ノードＢ（ｅノードＢ）１１０およびユーザ機器（ＵＥ）１２０および他のネットワークエンティティを含み得る。ｅノードＢ１１０は、ＵＥ１２０と通信する局であり得、基地局、アクセスポイントなどと呼ばれることもある。ノードＢは、ＵＥ１２０と通信する局の別の例である。
【００２４】
[0034]各ｅノードＢ１１０は、特定の地理的エリアに通信カバレージを与え得る。３ＧＰＰでは、「セル」という用語は、この用語が使用されるコンテキストに応じて、ｅノードＢ１１０のカバレージエリアおよび／またはこのカバレージエリアをサービスしているｅノードＢサブシステムを指すことがある。
【００２５】
[0035]ｅノード１１０は、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥ１２０による無制限のアクセスを可能にし得る。ピコセルは、比較的小さい地理的エリアをカバーし得、サービスに加入しているＵＥ１２０による無制限のアクセスを可能にし得る。フェムトセルは、比較的小さい地理的エリア（たとえば、自宅）をカバーし得、フェムトセルとの関連付けを有するＵＥ１２０（たとえば、ＵＥ１２０は限定加入者グループ（ＣＳＧ：Closed Subscriber Group）に加入し得、自宅内のユーザのためのＵＥ１２０など）による制限付きアクセスを可能にし得る。マクロセルのためのｅノードＢ１１０はマクロｅノードＢと呼ばれることがある。ピコセルのためのｅノードＢ１１０はピコｅノードＢと呼ばれることがある。フェムトセルのためのｅノードＢ１１０はフェムトｅノードＢまたはホームｅノードＢと呼ばれることがある。図１に示された例では、ｅノードＢ１１０ａ、１１０ｂおよび１１０ｃは、それぞれマクロセル１０２ａ、１０２ｂおよび１０２ｃのためのマクロｅノードＢであり得る。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢ１１０は、１つまたは複数（たとえば、３つ）のセルに通信カバレージを与え得る。
【００２６】
[0036]電気通信ネットワークシステム１００は、リレーｅノードＢ、リレーなどと呼ばれることもある、１つまたは複数のリレー局１１０ｒおよび１２０ｒを含み得る。リレー局１１０ｒは、上流局（たとえば、ｅノードＢ１１０またはＵＥ１２０）からデータおよび／または他の情報の送信を受信し、データおよび／または他の情報の受信された送信を下流局（たとえば、ＵＥ１２０またはｅノードＢ１１０）に送る局であり得る。リレー局１２０ｒは、他のＵＥ（図示せず）に対する送信を中継するＵＥであり得る。図１に示された例では、リレー局１１０ｒは、ｅノードＢ１１０ａとＵＥ１２０ｒとの間の通信を可能にするために、ｅノードＢ１１０ａおよびＵＥ１２０ｒと通信し得る。
【００２７】
[0037]電気通信ネットワークシステム１００は、異なるタイプのｅノードＢ１１０、たとえば、マクロｅノードＢ１１０ａ〜ｃ、ピコｅノードＢ１１０ｘ、フェムトｅノードＢ１１０ｙ〜ｚ、リレー１１０ｒなどを含む異種ネットワークであり得る。これらの異なるタイプのｅノードＢ１１０は、電気通信ネットワークシステム１００において異なる送信電力レベル、異なるカバレージエリア、および干渉に対する異なる影響を有し得る。たとえば、マクロｅノードＢ１１０ａ〜ｃは、高い送信電力レベル（たとえば、２０ワット）を有し得るが、ピコｅノードＢ１１０ｘ、フェムトｅノードＢ１１０ｙ〜ｚおよびリレー１１０ｒは、より低い送信電力レベル（たとえば、１ワット）を有し得る。
【００２８】
[0038]以下でより詳細に説明するように、本開示の態様は、異なる送信電力レベルをもつ異なるタイプの基地局による、ＵＥ１２０などのデバイスの、分離されたアップリンクとダウンリンクとのサービスを可能にし、たとえば、マクロｅノードＢはダウンリンクサービスを提供し、フェムトｅノードＢ１１０ｙ〜ｚおよび／またはリレー１１０ｒ／１２０ｒなどの低電力ノードはアップリンクサービスを提供する。
【００２９】
[0039]電気通信ネットワークシステム１００は同期動作または非同期動作をサポートし得る。同期動作の場合、ｅノードＢ１１０は同様のフレームタイミングを有し得、異なるｅノードＢ１１０からの送信は近似的に時間的に整合され得る。非同期動作の場合、ｅノードＢ１１０は異なるフレームタイミングを有し得、異なるｅノードＢ１１０からの送信は時間的に整合されないことがある。本明細書で説明する技法は、同期動作と非同期動作の両方のために使用され得る。
【００３０】
[0040]ネットワークコントローラ１３０は、ｅノードＢ１１０のセットに結合され、これらのｅノードＢ１１０の協調および制御を行い得る。ネットワークコントローラ１３０は、バックホール（図示せず）を介してｅノードＢ１１０と通信し得る。ｅノードＢ１１０はまた、たとえば、ワイヤレス（オーバージエア「ＯＴＡ：over the air」）またはワイヤラインバックホール（たとえば、図示されていないＸ２インターフェース）を介して直接または間接的に、互いに通信し得る。
【００３１】
[0041]ＵＥ１２０（たとえば、１２０ｘ、１２０ｙなど）は電気通信ネットワークシステム１００全体にわたって分散され得、各ＵＥ１２０は固定または移動であり得る。ＵＥ１２０は、マクロｅノードＢ１１０ａ〜ｃ、ピコｅノードＢ１１０ｘ、フェムトｅノードＢ１１０ｙ〜ｚ、リレー１１０ｒなどと通信することが可能であり得る。たとえば、図１において、両矢印付きの実線は、ダウンリンクおよび／またはアップリンク上での、ＵＥ１２０と、そのＵＥ１２０をサービスするように指定されたｅノードＢ１１０であるサービングｅノードＢ１１０との間の所望の送信を示し得る。両矢印付きの破線は、ＵＥ１２０とｅノードＢ１１０との間の干渉送信を示し得る。
【００３２】
[0042]ＬＴＥは、ダウンリンク上で直交周波数分割多重（ＯＦＤＭ）を利用し、アップリンク上でシングルキャリア周波数分割多重（ＳＣ−ＦＤＭ）を利用し得る。ＯＦＤＭおよびＳＣ−ＦＤＭは、システム帯域幅を、一般にトーン、ビンなどとも呼ばれる複数（Ｋ）個の直交サブキャリアに区分し得る。各サブキャリアはデータで変調され得る。概して、変調シンボルは、ＯＦＤＭでは周波数領域中で、ＳＣ−ＦＤＭでは時間領域中で送られ得る。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称高速フーリエ変換（ＦＦＴ）サイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はサブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る
[0043]図２は、本開示の一態様による、ダウンリンクフレーム構造の一例を概念的に示すブロック図である。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合（図示せず）は１４個のシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中にＮ個のサブキャリア（たとえば、１２個のサブキャリア）をカバーし得る。
【００３３】
[0044]たとえばＬＴＥでは、ｅノードＢは、ｅノードＢのカバレージエリア中の各セルについて１次同期信号（ＰＳＳ：primary synchronization signal）と２次同期信号（ＳＳＳ：secondary synchronization signal）とを送り得る。１次同期信号（ＰＳＳ）および２次同期信号（ＳＳＳ）は、図２に示すように、それぞれ、ノーマルサイクリックプレフィックスをもつ各無線フレームのサブフレーム０および５の各々中のシンボル期間６および５中で送られ得る。同期信号は、セル検出および収集のためにＵＥによって使用され得る。ｅノードＢは、サブフレーム０のスロット１のシンボル期間０〜３中の物理ブロードキャストチャネル（ＰＢＣＨ：Physical Broadcast Channel）中でシステム情報を送り得る。
【００３４】
[0045]ｅノードＢは、図２の第１のシンボル期間全体において示されているが、各サブフレームの第１のシンボル期間の一部のみの中の物理制御フォーマットインジケータチャネル（ＰＣＦＩＣＨ：Physical Control Format Indicator Channel）中で情報を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示された例では、Ｍ＝３である。ｅノードＢは、各サブフレームの最初のＭ個（図２ではＭ＝３）のシンボル期間中の物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）との中で情報を送り得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。図２の第１のシンボル期間の中には示されていないが、ＰＤＣＣＨおよびＰＨＩＣＨは第１のシンボル期間の中にも含まれることを理解されよう。同様に、ＰＨＩＣＨおよびＰＤＣＣＨはまた、図２にはそのようには示されていないが、第２のシンボル期間と第３のシンボル期間の両方の中にある。ｅノードＢは、各サブフレームの残りのシンボル期間中の物理ダウンリンク共有チャネル（ＰＤＳＣＨ：Physical Downlink Shared Channel）中で情報を送り得る。ＰＤＳＣＨは、ダウンリンク上でのデータ送信がスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００３５】
[0046]ｅノードＢは、ｅノードＢによって使用されるシステム帯域幅の中心１．０８ＭＨｚの周りにＰＳＳ、ＳＳＳおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、カバレージエリア中のすべてのＵＥにブロードキャスト方式でＰＳＳ、ＳＳＳ、ＰＢＣＨ、ＰＣＦＩＣＨおよびＰＨＩＣＨを送り得る。ｅノードＢは、カバレージエリア中の特定のＵＥにユニキャスト方式でＰＤＣＣＨを送り得る。ｅノードＢはまた、カバレージエリア中の特定のＵＥにユニキャスト方式でＰＤＳＣＨを送り得る。
【００３６】
[0047]各シンボル期間においていくつかのリソース要素が利用可能であり得る。各リソース要素は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１および２に拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して許可され得る。
【００３７】
[0048]ＵＥは、ＰＨＩＣＨおよびＰＣＦＩＣＨのために使用される特定のＲＥＧを知り得る。ＵＥは、ＰＤＣＣＨについてＲＥＧの様々な組合せを探索し得る。探索すべき組合せの数は、一般に、ＰＤＣＣＨに対して許可される組合せの数よりも少ない。ｅノードＢは、ＵＥが探索することになる組合せのいずれかにおいてＵＥにＰＤＣＣＨを送り得る。
【００３８】
[0049]ＵＥは、複数のｅノードＢ（または他のタイプ基地局）のカバレージエリア内にあり得る。そのＵＥをサービスするために、これらのｅノードＢのうちの１つが選択され得る。サービングｅノードＢは、受信電力、経路損失、信号対雑音比（ＳＮＲ）など、様々な基準に基づいて選択され得る。
【００３９】
[0050]さらに、本開示の態様は、複数の基地局がそのような基準に基づいて選択されることを可能にし、デバイスの分離されたアップリンクとダウンリンクとのサービスが可能になる。たとえば、ＵＥにダウンリンクサービスを提供するためにダウンリンク基準信号の受信電力に基づいてマクロｅノードＢが選択され得るが、同じＵＥにアップリンクサービスを提供するために、（たとえば、低電力ノードによって測定され、報告された、ＵＥからのアップリンク送信基づいて判断された）経路損失に基づいて低電力ノードが選択され得る。
【００４０】
[0051]図３は、本開示の一態様に従って構成された例示的なｅノードＢ３１０と例示的なＵＥ３２０とを概念的に示すブロック図である。たとえば、ＵＥ３１５は、図１に示されたＵＥ１２０の一例であり得、本開示の態様に従って動作することが可能であり得る。
【００４１】
[0052]基地局３１０はアンテナ３３４1~tを装備し得、ＵＥ３２０はアンテナ３５２1~rを装備し得、ここにおいて、ｔおよびｒは１よりも大きいかまたはそれに等しい整数である。基地局３１０において、基地局送信プロセッサ３１４は、基地局データソース３１２からデータを受信し、基地局コントローラ／プロセッサ３４０から制御情報を受信し得る。制御情報は、ＰＢＣＨ、ＰＣＦＩＣＨ、ＰＨＩＣＨ、ＰＤＣＣＨなどの上で搬送され得る。データは、ＰＤＳＣＨなどの上で搬送され得る。基地局送信プロセッサ３１４は、データと制御情報とを処理（たとえば、符号化およびシンボルマッピング）して、それぞれデータシンボルと制御シンボルとを取得し得る。基地局送信プロセッサ３１４はまた、たとえば、ＰＳＳ、ＳＳＳ、およびセル固有基準信号（ＲＳ：reference signal）のための、基準シンボルを生成し得る。基地局送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを基地局変調器／復調器（ＭＯＤ／ＤＥＭＯＤ）３３２1~tに与え得る。各基地局変調器／復調器３３２は、（たとえば、ＯＦＤＭなどのために）それぞれの出力シンボルストリームを処理して、出力サンプルストリームを取得し得る。各基地局変調器／復調器３３２はさらに、出力サンプルストリームを処理（たとえば、アナログへの変換、増幅、フィルタ処理、およびアップコンバート）して、ダウンリンク信号を取得し得る。変調器／復調器３３２1~tからのダウンリンク信号は、それぞれアンテナ３３４1~tを介して送信され得る。
【００４２】
[0053]ＵＥ３１５において、ＵＥアンテナ３５２1~rは、基地局３１０からダウンリンク信号を受信し得、受信信号をそれぞれＵＥ変調器／復調器（ＭＯＤ／ＤＥＭＯＤ）３５４1~rに与え得る。各ＵＥ変調器／復調器３５４は、それぞれの受信信号を調整（たとえば、フィルタ処理、増幅、ダウンコンバート、およびデジタル化）して、入力サンプルを取得し得る。各ＵＥ変調器／復調器３５４は、（たとえば、ＯＦＤＭなどのために）入力サンプルをさらに処理して、受信シンボルを取得し得る。ＵＥ  ＭＩＭＯ検出器３５６は、すべてのＵＥ変調器／復調器３５４1~rから受信シンボルを取得し、適用可能な場合は受信シンボルに対してＭＩＭＯ検出を実行し、検出シンボルを与え得る。ＵＥ受信プロセッサ３５８は、検出シンボルを処理（たとえば、復調、デインターリーブ、および復号）し、ＵＥ３２０の復号されたデータをＵＥデータシンク３６０に与え、復号された制御情報をＵＥコントローラ／プロセッサ３８０に与え得る。
【００４３】
[0054]アップリンク上では、ＵＥ３１５において、ＵＥ送信プロセッサ３６４は、ＵＥデータソース３６２から（たとえば、ＰＵＳＣＨのための）データを受信し、処理し得、ＵＥコントローラ／プロセッサ３８０から（たとえば、ＰＵＣＣＨのための）制御情報を受信し、処理し得る。ＵＥ送信プロセッサ３６４はまた、基準信号のための基準シンボルを生成し得る。ＵＥ送信プロセッサ３６４からのシンボルは、適用可能な場合はＵＥ  ＴＸ  ＭＩＭＯプロセッサ３６６によってプリコードされ、さらに（たとえば、ＳＣ−ＦＤＭなどのために）ＵＥ変調器／復調器３５４1~rによって処理され、基地局３１０に送信され得る。基地局３１０において、ＵＥ３１５からのアップリンク信号は、基地局アンテナ３３４によって受信され、基地局変調器／復調器３３２によって処理され、適用可能な場合は基地局ＭＩＭＯ検出器３３６によって検出され、さらに基地局受信プロセッサ３３８によって処理されて、ＵＥ３１５によって送られた復号されたデータと制御情報とが取得され得る。基地局受信プロセッサ３３８は、復号されたデータを基地局データシンク３４６に与え、復号された制御情報を基地局コントローラ／プロセッサ３４０に与え得る。
【００４４】
[0055]基地局コントローラ／プロセッサ３４０およびＵＥコントローラ／プロセッサ３８０は、それぞれ基地局３１０およびＵＥ３１５における動作を指示し得る。基地局３１０における基地局コントローラ／プロセッサ３４０および／または他のプロセッサおよびモジュールは、たとえば、本明細書で説明する技法のための様々なプロセスを実行するか、またはその実行を指示し得る。ＵＥ３１５におけるＵＥコントローラ／プロセッサ３８０および／または他のプロセッサおよびモジュールはまた、たとえば、図４〜図５に示された機能ブロック、および／または本明細書で説明する技法のための他のプロセスを実行するか、またはその実行を指示し得る。基地局メモリ３４２およびＵＥメモリ３８２は、それぞれ基地局３１０およびＵＥ３１５のためのデータおよびプログラムコードを記憶し得る。スケジューラ３４４は、ダウンリンクおよび／またはアップリンク上でのデータ送信のためにＵＥ３１５をスケジューリングし得る。
【００４５】
[0056]図４は、本開示の一態様による、異種ワイヤレス通信システム４００の一例を概念的に示すブロック図である。図示の例では、マクロｅノードＢ４０２は、たとえば、インターフェース（たとえば、光ファイバーをもつＸ２インターフェース）を介して、低電力ノード（ＬＰＮ）４０４、４０６、４０８、および４１０に結合され得る。上述したように、ＬＰＮ４０４〜４１０は、マクロｅノードＢ４０２に対してより低い送信電力を有し得、たとえば、ピコ基地局、リレー、またはリモートラジオヘッド（ＲＲＨ）であり得る。したがって、マクロｅノードＢ４０２は、ＬＰＮ４０４〜４１０のカバレージエリアを包含する（または少なくともそれと重複する）カバレージエリアを有し得る。ＬＰＮ４０４〜４１０およびマクロｅノードＢ４０２は、たとえば、図３に示された基地局３１０について示された様々な構成要素を使用して実装され得る。同様に、ＭＴＣデバイス４２０および４２２は、たとえば、図３に示されたＵＥ３２０について示された様々な構成要素を使用して実装され得る。
【００４６】
[0057]いくつかの態様によれば、ＬＰＮ４０４〜４１０は、マクロｅノード４０２と同じセル識別子（ＩＤ）で構成されるか、または異なるセルＩＤで構成され得る。ＬＰＮ４０４〜４１０が同じセルＩＤで構成された場合、マクロｅノードＢ４０２およびＬＰＮ４０４〜４１０は、マクロｅノードＢ４０２によって制御される本質的に１つのセルとして動作し得る。一方、ＬＰＮ４０４〜４１０およびマクロｅノードＢ４０２が異なるセルＩＤで構成された場合、マクロｅノードＢ４０２およびＬＰＮ４０４〜４１０は、ＵＥには異なるセルのように見え得るが、すべての制御およびスケジューリングは、依然としてマクロｅノードＢ４０２にとどまり得る。
【００４７】
ダウンリンク動作とアップリンク動作との例示的な分離
[0058]本開示のいくつかの態様によれば、ＵＬ通信とＤＬ通信との分離が行われ得る、異種ワイヤレス通信システム４００内の様々なロケーションがある。たとえば、各ＬＰＮ（４０４、４０６、４０８、および４１０）は、ＵＬサービスゾーンと呼ばれる対応する領域（４３４、４３６、４３８、４４０）を有し得、その中において、ＭＴＣデバイス（４２０、４２２）は、マクロｅノードＢ４０２からＤＬ通信を受信し、ＬＰＮ４０４〜４１０にＵＬ通信を送信し得る。たとえば、ＵＬサービスゾーン４３８内で、ＭＴＣデバイス４２０は、マクロｅノードＢ４０２からＤＬサービスを受信し、ＬＰＮ４０８からＵＬサービスを受信し得る。同様に、ＵＬサービスゾーン４３４内で、ＭＴＣデバイス４２２は、マクロｅノードＢ４０２からＤＬサービスを受信し、ＬＰＮ４０４からＵＬサービスを受信し得る。
【００４８】
[0059]しかしながら、場合によっては、ＭＴＣデバイスが（ＵＬサービスゾーンの内側境界よりも）ＬＰＮに近づいた場合、ＭＴＣデバイスは、マクロｅノードＢ４０２ではなくＬＰＮからＤＬサービスをも受信し得る。言い換えれば、このエリア内で、ＭＴＣは、ＬＰＮからＵＬサービスとＤＬサービスの両方を受信し得る。
【００４９】
[0060]ＭＴＣデバイスは、最良の信号強度をもつセルからのＤＬ送信を探索することによってセル収集を実行し得る。最良の信号強度をもつ信号から、ＭＴＣデバイスは、物理セル識別子（ＰＣＩ：physical cell identifier）を取得し、時間トラッキングループ（ＴＴＬ：time tracking loop）と周波数トラッキングループ（ＦＴＬ：frequency tracking loop）とを維持し得る。本明細書で説明するように、ＭＴＣデバイスは、事実上、ＤＬサービスとＵＬサービスとのためにセル収集を別々に実行し得る。この目的で、ＭＴＣデバイスは、（たとえば、上述したように信号強度に基づいて識別されたＬＰＮセルを用いて）別個のランダムアクセスチャネル（ＲＡＣＨ）プロシージャを実行し得る。
【００５０】
[0061]場合によっては、ＭＴＣデバイスによるＲＡＣＨプロシージャのための構成が、ＭＴＣデバイスをターゲットにするシステム情報ブロック（ＳＩＢ：system information block）中で搬送され、この情報はＬＰＮと共有され得、ＭＴＣデバイスがＲＡＣＨ検出を実行することが可能になり得る。場合によっては、このＲＡＣＨ構成はマクロセルＩＤにリンクされ得、ＲＡＣＨシーケンス、タイミング、および電力情報を含み得る。場合によっては、ＲＡＣＨ構成は、（図１１に示されたＭＳＧ２  ＲＡＣＨ応答および／またはＭＳＧ３  ＲＲＣ接続要求メッセージなどの）ＲＡＣＨメッセージのタイミング、ならびに変調およびコーディング方式（ＭＣＳ：modulation and coding scheme）およびリソースブロック（ＲＢ：resource block）割当て情報をも含み得る。場合によっては、そのような情報はマクロｅノードＢカバレージエリア内の複数のＬＰＮと共有され、それらのＬＰＮがＭＴＣデバイスのためにＲＡＣＨ検出を実行することが可能になり得る。一例では、マクロｅノードＢカバレージエリア内の複数のＬＰＮが、ＭＴＣデバイスからのＲＡＣＨメッセージを検出し得る。以下で説明するように、複数のＬＰＮは、（たとえば、受信信号強度または信号対雑音比を示す）ＭＴＣ  ＲＡＣＨ検出についての測定値報告を送り得、それによって、マクロｅノードＢは、ＵＬサービス（たとえば、ＭＴＣ  ＲＡＣＨ検出について最も強い報告された信号強度をもつＬＰＮ）をＭＴＣデバイスに与えるためにそれらの複数のＬＰＮのうちの１つ（または複数）を選択することが可能になる。
【００５１】
[0062]図５に、本開示のいくつかの態様による、図４のＭＴＣデバイス４２２とマクロｅノードＢ４０２とＬＰＮ４０４とを伴うＲＡＣＨプロシージャのための送信の交換のための例示的なコールフロー図５００を示す。単一のＬＰＮ４０４が示されているが、（高密度展開における）いくつかのＬＰＮが、本明細書で説明する動作と同様の動作を独立して実行している（たとえば、各々がＲＡＣＨ検出を報告している）ことがあることを理解されたい。
【００５２】
[0063]ステップ０ａ）に示されているように、マクロｅノードＢ４０２が、（たとえば、特殊ＭＴＣ  ＳＩＢ送信を介して）ＲＡＣＨ構成を用いてＭＴＣデバイス４２２を構成し得る。ステップ０において、ＭＴＣデバイス４２２は、たとえば、マクロＰＳＳ／ＳＳＳ信号および／またはＭＴＣ  ＳＩＢ送信に基づいて、セル収集を実行する。たとえば、ＭＴＣデバイス４２２は、マクロｅノードＢ４０２によってブロードキャストされたＰＳＳ／ＳＳＳ信号および／またはＭＴＣ  ＳＩＢ送信を受信し得、ＭＴＣデバイス４２２はセル収集を実行し得る。図示のように、ステップ０ｂ）において、マクロｅノードＢ４０２はまた、（たとえば、ファイバー、Ｘ２またはＯＴＡを介して）ＬＰＮ４０４にＭＴＣ  ＲＡＣＨ構成をシグナリングし得る。代替として、ＬＰＮ４０４は、この情報をリッスン（たとえば、ＭＴＣ  ＳＩＢ送信を検出すること）によって収集し得る。
【００５３】
[0064]いずれの場合も、ＭＴＣ  ＲＡＣＨ情報（たとえば、一意のＭＴＣ  ＲＡＣＨプリアンブルおよびＭＴＣ  ＲＡＣＨオケージョンのタイミング）を取得すると、ＬＰＮ４０４は、ＭＴＣデバイス４２２からの（たとえば、マクロｅノードＢ４０２に関連する）ＭＴＣ  ＲＡＣＨプロシージャを検出し、対応する電力測定値および／または所望のＵＬ構成をマクロｅノードＢ４０２に報告することが可能であり得る。このようにして、マクロｅノードＢ４０２は、ＭＴＣデバイス４２２にＵＬ（および／またはＤＬ）サービスを与えるために最良のＬＰＮのうちの１つまたは複数を選択し得る。
【００５４】
[0065]ステップ１において、ＭＴＣデバイス４２２は、（たとえば、マクロｅノードＢ４０２によって与えられたマクロｅノードＢ  ＩＤを有するＭＴＣ  ＲＡＣＨ情報を使用して）ＲＡＣＨプロシージャを実行する。一実施形態による、ＲＡＣＨプロシージャのさらなる詳細については、図１１を参照しながら以下で説明する。ＭＴＣ  ＲＡＣＨ情報を取得すると、１つまたは複数のＬＰＮ４０４は、１ａにおいて、ＭＴＣ  ＲＡＣＨを検出し、検出された電力レベルをマクロｅノードＢ４０２に報告することが可能になる。図示のように、１つまたは複数のＬＰＮ４０４は、ＭＴＣデバイス４２２をサービスするための所望のＵＬ構成をも送り得る。
【００５５】
[0066]図示の例では、ステップ１ｂ）において、マクロｅノードＢ４０２は、報告されたＲＡＣＨ検出に基づいて、ＭＴＣデバイス４２２にＵＬサービスを与えるための１つまたは複数のＬＰＮ４０４を選択する。。いくつかの実施形態では、ＬＰＮは、報告中に示されたＲＡＣＨ検出の信号強度を示し得る。いくつかの実施形態では、ＬＰＮ４０４は、しきい値強度（たとえば、受信強度またはＳＮＲ）を上回るＲＡＣＨ送信が検出されたときのみ報告し得、したがって、少なくとも（マクロｅノードＢ４０２によってＬＰＮ４０４にシグナリングされ得る）そのしきい値強度をもつＲＡＣＨ送信が検出されたことを、報告自体が示す。いずれの場合も、マクロｅノードＢは、それの選択を１つまたは複数のＬＰＮ４０４に通知し得る。マクロｅノードＢ４０２はまた、たとえば、ＵＬおよび／またはＤＬ上でＭＴＣデバイス４２２をサービスする際に使用するためのパラメータ（たとえば、ＵＬおよび／またはＤＬ構成）を示す情報を１つまたは複数のＬＰＮ４０４にシグナリングし得る。場合によっては、ジョイントＵＬ受信が望まれる場合、マクロｅノードＢ４０２は、ＭＴＣデバイス４２２をサービスするために、ジョイント処理構成を複数のＬＰＮ４０４に通知し得る。同様に、ジョイントＤＬ送信が望まれる場合、マクロｅノードＢ４０２はまた、ＭＴＣデバイス４２２へのＤＬサービスのために複数のＬＰＮ４０４が選択されたことをそれらの複数のＬＰＮ４０４に通知し得る。
【００５６】
[0067]ステップ２において、マクロｅノードＢ４０２は、ＭＴＣデバイス４２２のＵＬおよびＤＬ構成に関してＭＴＣデバイス４２２にシグナリングし、それによって、ＭＴＣデバイス４２２は、マクロｅノードＢ４０２からＤＬ送信を受信し、（たとえば、ＬＰＮ４０４を介して）ＵＬ送信を実行することが可能になる。この情報は、たとえば、ＭＳＧ２（ランダムアクセス応答）中で与えられ得る。ＵＬおよびＤＬ構成情報は、ＤＬおよびＵＬ送信の時間、ＵＬ送信の電力、ＤＬおよびＵＬ送信のための物理セル識別子（ＰＣＩ）または仮想セル識別子（ＶＣＩ：virtual cell identifier）、（たとえば、競合解消のための）物理ダウンリンク共有チャネル（ＰＤＳＣＨ）および／または物理アップリンク共有チャネル（ＰＵＳＣＨ：physical uplink shared channel）割当て、データ送信のための永続的割当て（たとえば、ＲＢおよび／またはＭＣＳ）を含み得る。
【００５７】
[0068]アップリンク通信とダウンリンク通信とを正常に分離すると、ステップ３において、ＭＴＣデバイス４２２は、（ステップ２において受信された構成情報、たとえば、ＬＰＮ４０４の物理セル識別子（ＰＣＩ）または仮想セル識別子（ＶＣＩ）を使用して）ＵＬ送信をＬＰＮ４０４に送り、場合によっては、ステップ４において、マクロｅノードＢ４０２からＤＬ送信を受信し得る。言い換えれば、ＤＬ送信をサービスするためにマクロｅノードＢ４０２によってＬＰＮ４０４が選択されたとき、ＬＰＮ４０４は、ＭＴＣデバイス４２２のためにＤＬ送信をもサービスし得る。
【００５８】
[0069]場合によっては、ＵＬサービスとＤＬサービスとの分離を考慮するために、たとえば、マクロｅノードＢを介した（ＬＰＮへの）ＵＬ送信のための制御情報をＭＴＣデバイスに与えるために（それは依然としてＤＬサービスを与えるので）、いくつかのルーチンプロシージャが調整され得る。たとえば、時間トラッキングに関して、アップリンク上でＬＰＮに送信するときにＭＴＣデバイスによって適用されるべきタイミングアドバンス（ＴＡ：timing advance）コマンドも、マクロｅノードＢから送られ得る。周波数トラッキングでは、ＬＰＮはＵＬ周波数補償のためのＦＴＬを維持し得るか、または、マクロｅノードＢは、ＵＬ送信のために適用すべき周波数オフセットをＭＴＣにシグナリングし得る。そのようなタイミングアドバンスおよび／または周波数オフセット調整は、たとえば、図５のステップ３においてＵＬ送信を送るときにＭＴＣデバイス４２２によって適用され得る。場合によっては、たとえば、ＬＰＮとマクロｅノードＢとが同期されている場合（または周波数オフセットが小さく、ＬＰＮにおけるＦＴＬによって処理され得る場合）、そのようなトラッキングは不要であり得る。電力制御に関して、ＵＬデータのための初期送信電力設定はＬＰＮによって決定され得るが、この設定は、マクロｅノードＢからＭＴＣデバイスに送信され得る。後続の遅い電力制御調整も、（たとえば、ＬＰＮのために）マクロｅノードＢからＭＴＣにシグナリングされ得る。
【００５９】
[0070]本明細書で提示する技法は、（たとえば、（図５に示されているように）ＭＴＣデバイスが起動し、セル収集を開始し、それに続いてＲＡＣＨプロシージャを開始するとき、ＭＴＣデバイスによって開始されるＵＬトラフィックを扱い得る。ＭＴＣ開始型ＤＬトラフィックに関して、トラフィックがダウンリンク上にある場合でも、ＭＴＣデバイスは、データをネットワークにプッシュさせるのではなくデータをプルするために、依然として最初にＲＡＣＨプロシージャを開始し得る。この場合、上記で説明した技法は、ＵＬ動作とＤＬ動作とを分離するために依然として使用され得る。ネットワーク開始型ＤＬトラフィックでは、ネットワークはＭＴＣをページングする必要があり得る。ページは、（たとえば、最も強いＤＬセルからの）ＭＴＣデバイスによって周期的に監視されるページングエリア中で送られ得る。ＭＴＣのためのページング構成は、ＳＩＢ中でシグナリングされるか、または各デバイスに対して構成され得る。いずれの場合も、ＭＴＣデバイスがページングを検出した場合、ＭＴＣデバイスはＲＡＣＨプロシージャを開始し得、この場合も、上記で説明した技法は、ＵＬ動作とＤＬ動作とを分離するために依然として使用され得る。
【００６０】
[0071]図６Ａ〜図６Ｃに、図４に示された異種ワイヤレス通信システム４００を使用して、図５に示されたステップを示し、同じラベルによってそれらのステップを指す。図６Ａに示されているように、ステップ０ａにおいて、マクロｅノードＢ４０２は、１つまたは複数のＬＰＮ４０４、４０６、４０８および４１０にＭＴＣ  ＲＡＣＨ構成をシグナリングする。ＭＴＣ  ＲＡＣＨ構成は、ＬＰＮ４０４が、それ自体のＲＡＣＨオケージョン（たとえば、ＬＰＮ４０４によってサービスされるデバイス）に加えて、マクロｅノードＢ４０２によってサービスされ得るＭＴＣデバイス４２２のためのＲＡＣＨオケージョンを識別することを可能にするタイミング情報を含み得る。これは、（マクロｅノードＢ４０２によってＵＬサービスのためにそれが選択され得るＭＴＣからのＲＡＣＨ送信をＬＰＮ４０４がその間に監視し得る）ＭＴＣ  ＲＡＣＨオケージョン７１０、ならびに（それが「非ＭＴＣ」ＲＡＣＨ送信をその間に監視する）それ自体のＲＡＣＨオケージョン７２０を示す、図７に示されている。場合によっては、ＭＴＣ  ＲＡＣＨオケージョン７１０は、ＲＡＣＨオケージョン７２０よりも低い頻度で発生し得る。
【００６１】
[0072]いくつかの態様によれば、ＬＰＮは、（たとえば、電力を節約するために）ドーマント状態に保たれ得、たとえば、ＲＡＣＨ送信を監視するために、時々のみ起動し得る（たとえば、７１０および／または７２０におけるオケージョン）。初期にＬＰＮがドーマント状態にある場合、たとえばＤＬ同期信号を送信していないが、ＵＬ送信を監視している場合、ＬＰＮは、（たとえば、ＭＴＣ  ＲＡＣＨオケージョン７１０において検出された）ＭＴＣからの強い受信信号に基づいて起動し得る。この場合、マクロセルは、（たとえば、ＬＰＮによって報告されたＲＡＣＨ検出の強度に基づいて）ＤＬとＵＬの両方についてＭＴＣをＬＰＮにハンドオーバすることが有益であるかどうかをさらに判断し、ＤＬサービングセル変更についてＭＴＣ  ＵＥに通知することができる。
【００６２】
[0073]再び図６Ａを参照すると、ＭＴＣ  ＲＡＣＨ構成の知識を用いて、ＬＰＮ４０４は、ステップ１において、ＭＴＣデバイス４２２がＲＡＣＨプロシージャを実行したときを検出し得る。ＬＰＮ４０４は、次いでステップ１ａにおいて、マクロｅノードＢ４０２に、測定されたＲＡＣＨ検出（たとえば、場合によっては所望のＵＬ構成とともに、ＳＮＲまたは電力）を報告し得る。
【００６３】
[0074]図６Ｂに示されているように、ＬＰＮ４０４によって報告されたＲＡＣＨ検出測定値（および場合によっては他のＬＰＮ４０６、４０８および４１０からの同様の報告）に基づいて、マクロｅノードＢ４０２は、ステップ１ｂにおいて、ＭＴＣデバイス４２２のためのＵＬサービスのためのＬＰＮ４０４を選択し、この選択をシグナリングし得る。ステップ２において、マクロｅノードＢ４０２は、ＤＬ／ＵＬ構成をＭＴＣデバイス４２２にシグナリングする。ステップ３において、ＭＴＣデバイス４２２は、マクロｅノードＢ４０２によって与えられたＵＬ構成に基づいて、ＵＬ上でＬＰＮ４０４に送信する。
【００６４】
[0075]図６Ａおよび図６Ｂに示された単純な例は、ただ１つのＬＰＮ（ＬＰＮ４０４）がＭＴＣデバイス４２２からのＲＡＣＨ送信を検出し、報告することを示しているが、多くの場合、複数のＬＰＮがＭＴＣデバイス４２２からのＲＡＣＨ送信を検出し、報告し得る。たとえば、図６Ｃは、ＬＰＮ４０４、４０６、および４１０がすべてＭＴＣデバイス４２２からのＲＡＣＨ送信を検出する例を示している。この場合、マクロｅノードＢ４０２は、ＭＴＣデバイス４２２のＵＬサービスについて報告したＬＰＮのうちの１つ（または複数）を選択し得る。場合によっては、この選択は、検出されたＲＡＣＨ送信の報告された信号強度、および／または負荷分散などの他のファクタに基づき得る。
【００６５】
[0076]図６Ｃに示されているように、ＬＰＮ４０８は、ＭＴＣデバイス４２２からのＲＡＣＨ送信を検出するのにはＭＴＣデバイス４２２からあまりに離れていることがある。場合によっては、ＬＰＮは、それが十分な強度をもつＲＡＣＨ送信（たとえば、しきい値を上回るＳＮＲの受信電力）を検出した場合のみ、測定値報告を送り得る。これは、ＬＰＮがＵＬサービスにいずれにせよ好適でない場合において、バックホール接続上のトラフィックを制限し得る。
【００６６】
[0077]場合によっては、ＵＬ送信は、上記で説明したプロシージャ中に事前スケジュールされ得る。たとえば、図６Ａ〜図６Ｃを参照すると、マクロｅノードＢ４２２は、バックホール遅延に従って（選択されたＬＰＮ４０４への）ＰＵＳＣＨ送信を事前スケジュールし、この送信をＬＰＮに通知し得る。これにより、ＬＰＮが受信のための準備をすることが可能になり得る。場合によっては、ＵＬ送信のためのリソースは、ＬＰＮの間で再利用されないことがある。たとえば、ＰＵＳＣＨが空間分割多元接続（ＳＤＭＡ）様式でスケジュールされ得る場合、たとえば、ＵＬセル分割を可能にするために、さらなるスケジューリング最適化も実行され得る。場合によっては、（たとえば、電力節約のために）ＭＴＣデバイスによる起動時間を低減するために、ＬＰＮ４０４は、（たとえば、ＭＴＣデバイスが干渉制限された場合）ＭＴＣデバイスにＤＬ  ＰＨＩＣＨを直接送るように構成され得る。
【００６７】
[0078]図８に、本開示の一態様による、アップリンク通信とダウンリンク通信とを分離するための例示的な方法８００を示す図を示す。方法８００は、図４、図５、図６Ａ、図６Ｂおよび図６Ｃを参照しながら上記で説明したＬＰＮ４０４など、ワイヤレスノードによって実行され得る。
【００６８】
[0079]方法８００は、８０２において、第１のセルの基地局から、ワイヤレスデバイスのためのランダムアクセスチャネル（ＲＡＣＨ）構成に関する情報を受信することによって開始する。８０４において、ワイヤレスノードは、ＲＡＣＨ構成に基づいて、ワイヤレスノードからのＲＡＣＨ送信を検出する。８０６において、ワイヤレスノードは、検出されたＲＡＣＨ送信を第１のセルの基地局に報告する。８０８において、ワイヤレスノードは、第１のセルの基地局からＵＬおよび／またはＤＬ上でワイヤレスデバイスをサービスするための選択の指示を受信する。ワイヤレスノードはまた、第１のセルの基地局からＵＬおよび／またはＤＬ構成情報を受信し得る。８１０において、ワイヤレスノードは、ワイヤレスデバイスからのＵＬ送信、または第１のセルの基地局からワイヤレスデバイスへのＤＬ送信のための送信を受信する。
【００６９】
[0080]図９に、本開示の一態様による、アップリンク通信とダウンリンク通信とを分離するための例示的な方法９００を示す図を示す。方法９００は、図４、図５、図６Ａ、図６Ｂおよび図６Ｃを参照しながら上記で説明したマクロｅノードＢ４０２など、基地局によって実行され得る。
【００７０】
[0081]方法９００は、９０２において、ワイヤレスデバイスに、ランダムアクセスチャネル（ＲＡＣＨ）構成を送信することによって開始する。９０４において、基地局は、１つまたは複数のワイヤレスノードに、ワイヤレスデバイスのためのＲＡＣＨ構成に関する情報を送信する。９０６において、基地局は、１つまたは複数のワイヤレスノードから、ＲＡＣＨ構成に基づくワイヤレスノードによるＲＡＣＨ送信の検出を示すシグナリングを受信する。９０８において、基地局は、ＵＬ送信のためにワイヤレスデバイスをサービスするための１つまたは複数のワイヤレスノードを選択する。９１０において、基地局は、１つまたは複数のワイヤレスノードに、ＵＬ送信のためにワイヤレスデバイスをサービスするための１つまたは複数のワイヤレスノードの選択をシグナリングする。
【００７１】
[0082]図１０に、本開示の一態様による、アップリンク通信とダウンリンク通信とを分離するための例示的な方法１０００を示す図を示す。方法１０００は、図４、図５、図６Ａ、図６Ｂおよび図６Ｃを参照しながら上記で説明したＭＴＣデバイス４２２など、ワイヤレスデバイスによって実行され得る。
【００７２】
[0083]方法１０００は、１００２において、第１のセルの基地局から、ランダムアクセスチャネル（ＲＡＣＨ）構成を受信することによって開始する。１００４において、ワイヤレスデバイスは、ＲＡＣＨ構成に基づいてＲＡＣＨ送信を送る。１００６において、ワイヤレスデバイスは、第１のセルの基地局から、ＲＡＣＨ送信を検出したワイヤレスノードとのアップリンク通信とダウンリンク通信とのうちの少なくとも１つにおいて使用するためのパラメータの構成を示すシグナリングを受信する。
【００７３】
[0084]場合によっては、上記で説明したＲＡＣＨプロシージャの一部として追加の動作が実行され得る。たとえば、図１１のコールフロー図１１００に示されているように、競合解消が必要とされる場合、ＭＳＧ３およびＭＳＧ４が送られ得る。ＬＰＮ４０４によってＲＡＣＨ動作が監視されるとき、マクロｅノードｂ４０２とＬＰＮ４０４との間でいくつかのＲＡＣＨメッセージが交換（トンネリング）され得る。たとえば、（たとえば、ＵＬ／ＤＬ構成情報を含んでいる）ＭＳＧ２がＬＰＮ４０４にトンネリングされ得、そのＭＳＧ２は、ＵＬサービスを与えるためにＬＰＮ４０４が選択されたことをＬＰＮ４０４に通知するためにも使用され得る。さらに、必要に応じて、（ＬＰＮ４０４によって検出された）ＭＳＧ３がマクロｅノードＢ４０２にトンネリングされ得るが、それに応答して送られるＭＳＧ４がＬＰＮ４０４にトンネリングされ得る。
【００７４】
[0085]上述したように、このＭＳＧ２を受信するためのタイミング要件は、ＬＰＮ４０４とマクロｅノードＢ４０２との間の情報のシグナリングのための追加の時間を考慮するように調整され得る。上述したように、このシグナリングは、マクロｅノードＢ４０２にＲＡＣＨ検出（たとえば、電力またはＳＮＲ）をシグナリングしているＬＰＮと、場合によっては、（たとえば、ＭＴＣデバイス４２２にシグナリングされるべき）マクロｅノードＢ４０２への（たとえば、送信電力、タイミングアドバンス、ＲＢ割当て、ＭＣＳを含む）所望のＵＬ送信構成とを伴い得る。
【００７５】
[0086]いくつかの態様によれば、マクロｅノードＢは、ＭＴＣデバイスの観点から、マクロｅノードＢセルがまだサービングセルと見なされ得るときから動作し得る、すべてのコアネットワーク側の通信を処理し得る。しかしながら、代替として、ＬＰＮは、一部または全部のコアネットワーク側の通信を処理し得る。
【００７６】
[0087]本技法について、本明細書ではＬＴＥおよび３Ｇネットワーク（ＧＳＭおよび／またはＵＭＴＳ）において通信することが可能なＵＥに関して説明したが、本明細書で提示する技法は、様々な異なるＲＡＴネットワークにおいて適用され得る。
【００７７】
[0088]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【００７８】
[0089]本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。
【００７９】
[0090]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００８０】
[0091]上記で説明した方法の様々な動作は、様々な（１つまたは複数の）ハードウェアおよび／またはソフトウェア構成要素、回路、および／またはモジュールなど、それらの動作を実行することが可能な任意の好適な手段によって実行され得る。概して、図に示されているどの動作も、その動作を実行することが可能な対応する機能的手段によって実行され得る。
【００８１】
[0092]本開示に関連して説明した様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラまたは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８２】
[0093]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【００８３】
[0094]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００８４】
[0095]説明した機能は、ハードウェア、ソフトウェア、ファームウェア、またはそれらの任意の組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。
【００８５】
[0096]したがって、いくつかの態様は、本明細書で提示する動作を実行するためのコンピュータプログラム製品を備え得る。たとえば、そのようなコンピュータプログラム製品は、本明細書で説明した動作を実行するように１つまたは複数のプロセッサによって実行可能である命令を記憶した（および／または符号化した）コンピュータ可読媒体を備え得る。いくつかの態様では、コンピュータプログラム製品はパッケージング材料を含み得る。
【００８６】
[0097]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【００８７】
[0098]さらに、本明細書で説明した方法および技法を実行するためのモジュールおよび／または他の適切な手段は、適用可能な場合に移動局および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、移動局および／または基地局が記憶手段をデバイスに結合するかまたは与えると様々な方法を取得することができるように、記憶手段（たとえば、ＲＡＭ、ＲＯＭ、コンパクトディスク（ＣＤ）またはフロッピーディスクなどの物理的記憶媒体など）によって与えられ得る。その上、本明細書で説明した方法および技法をデバイスに与えるための任意の他の好適な技法が利用され得る。
【００８８】
[0099]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【００８９】
[0100]上記は本開示の態様を対象とするが、本開示の他の態様およびさらなる態様は、それらの基本的範囲から逸脱することなく考案され得、それらの範囲は以下の特許請求の範囲によって判断される。
以下に、出願当初の特許請求の範囲に記載された発明を付記する。
［Ｃ１］
ワイヤレスノードによるワイヤレス通信のための方法であって、
第１のセルの基地局から、ワイヤレスデバイスのためのランダムアクセスチャネル（ＲＡＣＨ）構成に関する情報を受信することと、
前記ＲＡＣＨ構成に基づいて、前記ワイヤレスデバイスからのＲＡＣＨ送信を検出することと、
前記検出されたＲＡＣＨ送信を前記第１のセルの前記基地局に報告することと
を備える、方法。
［Ｃ２］
前記ワイヤレスデバイスの前記ＲＡＣＨ構成に関する前記情報が、オーバージエア（ＯＴＡ）インターフェース、Ｘ２インターフェース、またはファイバーインターフェースのうちの少なくとも１つを介して受信される、Ｃ１に記載の方法。
［Ｃ３］
前記ワイヤレスデバイスからアップリンク送信を受信するためのアップリンク構成パラメータを報告することをさらに備える、Ｃ１に記載の方法。
［Ｃ４］
前記第１のセルの前記基地局から、前記ワイヤレスデバイスのためのアップリンク通信とダウンリンク通信とのうちの少なくとも１つをサービスするために前記ワイヤレスノードが選択されたことを示すシグナリングを受信することをさらに備える、Ｃ１に記載の方法。
［Ｃ５］
前記シグナリングは、前記ワイヤレスノードとのアップリンク通信とダウンリンク通信の両方のために前記ワイヤレスノードが選択されたことを示す、Ｃ４に記載の方法。
［Ｃ６］
前記シグナリングは、前記ワイヤレスデバイスのアップリンク通信をサービスするために少なくとも１つの追加のワイヤレスノードも選択されたことを示す、Ｃ４に記載の方法。
［Ｃ７］
前記第１のセルの前記基地局から、前記ワイヤレスデバイスとのアップリンク通信とダウンリンク通信とのうちの少なくとも１つを実行する際に使用するための１つまたは複数のパラメータを示すシグナリングを受信することをさらに備える、Ｃ４に記載の方法。
［Ｃ８］
基地局によるワイヤレス通信のための方法であって、
ワイヤレスデバイスに、ランダムアクセスチャネル（ＲＡＣＨ）構成を送信することと、
ワイヤレスノードに、前記ワイヤレスデバイスのための前記ＲＡＣＨ構成に関する情報を送信することと、
前記ワイヤレスノードから、前記ＲＡＣＨ構成に関する前記情報に基づいて前記ワイヤレスノードによって検出されたＲＡＣＨ送信を示すシグナリングを受信することと
を備える、方法。
［Ｃ９］
前記ワイヤレスデバイスの前記ＲＡＣＨ構成に関する前記情報が、オーバージエア（ＯＴＡ）インターフェース、Ｘ２インターフェース、またはファイバーインターフェースのうちの少なくとも１つを介して送信される、Ｃ８に記載の方法。
［Ｃ１０］
前記ワイヤレスノードからアップリンク送信のためのアップリンク構成パラメータを受信することをさらに備える、Ｃ８に記載の方法。
［Ｃ１１］
前記ワイヤレスノードに、前記ワイヤレスデバイスのアップリンク通信とダウンリンク通信とのうちの少なくとも１つをサービスするために前記ワイヤレスノードが選択されたことを示すシグナリングを送信することをさらに備える、Ｃ８に記載の方法。
［Ｃ１２］
前記シグナリングは、前記ワイヤレスデバイスのアップリンク通信とダウンリンク通信の両方をサービスするために前記ワイヤレスノードが選択されたことを示す、Ｃ１１に記載の方法。
［Ｃ１３］
前記シグナリングは、前記ワイヤレスデバイスの少なくとも１つのアップリンクおよびダウンリンク通信をサービスするために少なくとも１つの追加のワイヤレスノードも選択されたことを示す、Ｃ１１に記載の方法。
［Ｃ１４］
前記ワイヤレスノードに、前記ワイヤレスデバイスとのアップリンク通信とダウンリンク通信とのうちの少なくとも１つを実行する際に使用するための１つまたは複数のパラメータを示すシグナリングを送信することをさらに備える、Ｃ１１に記載の方法。
［Ｃ１５］
前記ワイヤレスデバイスに、前記ワイヤレスノードとのアップリンク通信とダウンリンク通信とのうちの少なくとも１つにおいて使用するためのパラメータを送信することをさらに備える、Ｃ８に記載の方法。
［Ｃ１６］
前記パラメータが、タイミング調整パラメータ、電力調整パラメータ、仮想セル識別情報、リソースのセット、または変調およびコーディング方式のうちの少なくとも１つを含む、Ｃ１５に記載の方法。
［Ｃ１７］
ワイヤレスノードによるワイヤレス通信のための装置であって、
第１のセルの基地局から、ワイヤレスデバイスのためのランダムアクセスチャネル（ＲＡＣＨ）構成に関する情報を受信することと、前記ＲＡＣＨ構成に基づいて、前記ワイヤレスデバイスからのＲＡＣＨ送信を検出することと、前記検出されたＲＡＣＨ送信を前記第１のセルの前記基地局に報告することとを行うように構成された少なくとも１つのプロセッサと、
前記少なくとも１つのプロセッサに結合されたメモリと
を備える、装置。
［Ｃ１８］
前記ワイヤレスデバイスの前記ＲＡＣＨ構成に関する前記情報が、オーバージエア（ＯＴＡ）インターフェース、Ｘ２インターフェース、またはファイバーインターフェースのうちの少なくとも１つを介して受信される、Ｃ１７に記載の装置。
［Ｃ１９］
前記少なくとも１つのプロセッサが、前記ワイヤレスデバイスからアップリンク送信を受信するためのアップリンク構成パラメータを報告するように構成された、Ｃ１７に記載の装置。
［Ｃ２０］
前記少なくとも１つのプロセッサは、前記第１のセルの前記基地局から、前記ワイヤレスデバイスのためのアップリンク通信とダウンリンク通信とのうちの少なくとも１つをサービスするために前記ワイヤレスノードが選択されたことを示すシグナリングを受信するように構成された、Ｃ１７に記載の装置。
［Ｃ２１］
前記シグナリングは、前記ワイヤレスノードとのアップリンク通信とダウンリンク通信の両方のために前記ワイヤレスノードが選択されたことを示す、Ｃ２０に記載の装置。
［Ｃ２２］
前記少なくとも１つのプロセッサが、前記第１のセルの前記基地局から、前記ワイヤレスデバイスとのアップリンク通信とダウンリンク通信とのうちの少なくとも１つを実行する際に使用するための１つまたは複数のパラメータを示すシグナリングを受信するように構成された、Ｃ２０に記載の装置。
［Ｃ２３］
基地局によるワイヤレス通信のための装置であって、
ワイヤレスデバイスに、ランダムアクセスチャネル（ＲＡＣＨ）構成を送信することと、ワイヤレスノードに、前記ワイヤレスデバイスのための前記ＲＡＣＨ構成に関する情報を送信することと、前記ワイヤレスノードから、前記ＲＡＣＨ構成に関する前記情報に基づいて前記ワイヤレスノードによって検出されたＲＡＣＨ送信を示すシグナリングを受信することとを行うように構成された少なくとも１つのプロセッサと、
前記少なくとも１つのプロセッサに結合されたメモリと
を備える、装置。
［Ｃ２４］
前記ワイヤレスデバイスの前記ＲＡＣＨ構成に関する前記情報が、オーバージエア（ＯＴＡ）インターフェース、Ｘ２インターフェース、またはファイバーインターフェースのうちの少なくとも１つを介して送信される、Ｃ２３に記載の装置。
［Ｃ２５］
前記少なくとも１つのプロセッサが、前記ワイヤレスノードからアップリンク送信のためのアップリンク構成パラメータを受信するように構成された、Ｃ７に記載の装置。
［Ｃ２６］
前記少なくとも１つのプロセッサは、前記ワイヤレスノードに、前記ワイヤレスデバイスのアップリンク通信とダウンリンク通信とのうちの少なくとも１つをサービスするために前記ワイヤレスノードが選択されたことを示すシグナリングを送信するように構成された、Ｃ２３に記載の装置。
［Ｃ２７］
前記シグナリングは、前記ワイヤレスデバイスのアップリンク通信とダウンリンク通信の両方をサービスするために前記ワイヤレスノードが選択されたことを示す、Ｃ２６に記載の装置。
［Ｃ２８］
前記少なくとも１つのプロセッサが、前記ワイヤレスノードに、前記ワイヤレスデバイスとのアップリンク通信とダウンリンク通信とのうちの少なくとも１つを実行する際に使用するための１つまたは複数のパラメータを示すシグナリングを送信するように構成された、Ｃ２６に記載の装置。
［Ｃ２９］
前記少なくとも１つのプロセッサが、前記ワイヤレスデバイスに、前記ワイヤレスノードとのアップリンク通信とダウンリンク通信とのうちの少なくとも１つにおいて使用するためのパラメータを送信するように構成された、Ｃ２３に記載の装置。
［Ｃ３０］
前記パラメータが、タイミング調整パラメータ、電力調整パラメータ、仮想セル識別情報、リソースのセット、または変調およびコーディング方式のうちの少なくとも１つを含む、Ｃ２９に記載の装置。
【図１】
0006407874.tif 000002
【図２】
0006407874.tif 000003
【図３】
0006407874.tif 000004
【図４】
0006407874.tif 000005
【図５】
0006407874.tif 000006
【図６Ａ】
0006407874.tif 000007
【図６Ｂ】
0006407874.tif 000008
【図６Ｃ】
0006407874.tif 000009
【図７】
0006407874.tif 000010
【図８】
0006407874.tif 000011
【図９】
0006407874.tif 000012
【図１０】
0006407874.tif 000013
【図１１】
0006407874.tif 000014